(57)【要約】【課題】映像を表示するディスプレイと電子ペーパーのような表示媒体を重畳した構成において、輝度の低下を抑止するとともに、周囲の環境に溶け込むようにする。【解決手段】本開示に係る表示装置は、複数の光源を有する自発光型のディスプレイと、前記ディスプレイの表示面と重畳して配置される平板状の表示媒体と、を備え、前記表示媒体は、電圧の印加状態に応じた表示を維持する表示部と、前記ディスプレイの前記複数の光源の位置に対応して、前記表示部と隣接して設けられた複数の光の透過領域と、を有する。【選択図】図１
2015025968.tif 000002
【特許請求の範囲】
【請求項１】
電圧の印加状態に応じた表示を維持する表示部と、
前記表示部と重畳して配置されるディスプレイの複数の光源の位置に対応して、前記表示部と隣接して設けられた複数の光の透過領域と、
を備える、表示媒体。
【請求項２】
前記透過領域は、前記表示部と隣接する領域に設けられた空間によって構成される、請求項１に記載の表示媒体。
【請求項３】
前記透過領域は、前記表示部と隣接する領域に設けられた透明部材によって構成される、請求項１に記載の表示媒体。
【請求項４】
前記表示部は、電圧が独立して印加される複数のセルと、前記セルに充填された液晶と、を含む、請求項１に記載の表示媒体。
【請求項５】
前記透過領域の平面形状は、円、矩形、又はスリットの形状である、請求項１に記載の表示媒体。
【請求項６】
前記表示媒体は反射型電子ペーパーから構成される、請求項１に記載の表示媒体。
【請求項７】
複数の光源を有する自発光型のディスプレイと、
前記ディスプレイの表示面と重畳して配置される平板状の表示媒体と、を備え、
前記表示媒体は、
電圧の印加状態に応じた表示を維持する表示部と、前記ディスプレイの前記複数の光源の位置に対応して、前記表示部と隣接して設けられた複数の光の透過領域と、を有する、表示装置。
【請求項８】
前記ディスプレイの光源の幅は、当該光源に対応する前記透過領域の幅よりも短い、請求項７に記載の表示装置。
【請求項９】
前記ディスプレイの発光状態に応じて前記表示媒体の表示が制御される、請求項７に記載の表示装置。
【請求項１０】
前記ディスプレイの映像表示がオンの場合は前記表示媒体の表示がオフとされ、前記ディスプレイの映像表示がオフの場合は前記表示媒体の表示がオンとされる、請求項９に記載の表示装置。
【請求項１１】
前記表示媒体の表示がオンとなった時、前記表示媒体は静止画を表示し、前記表示媒体の表示がオフとなった時、前記表示媒体は透明状態となる、請求項１０に記載の表示装置。
【請求項１２】
前記光源による光の出射の視野角が３０°以上である、請求項７に記載の表示装置。
【請求項１３】
前記表示媒体の表示によるコントラスト比が１０：１以上である、請求項７に記載の表示装置。
【請求項１４】
前記表示媒体の前記表示部と前記透過領域の面積比が１０：１以上である、請求項７に記載の表示装置
【請求項１５】
前記表示媒体の表面にタッチセンサを備える、請求項７に記載の表示装置。
【請求項１６】
前記透過領域は、前記表示部と隣接する領域に設けられた空間によって構成される、請求項７に記載の表示装置。
【請求項１７】
前記透過領域は、前記表示部と隣接する領域に設けられた透明部材によって構成される、請求項７に記載の表示装置。
【請求項１８】
前記表示部は、電圧が独立して印加される複数のセルと、前記セルに充填された液晶と、を含む、請求項７に記載の表示装置。
【請求項１９】
前記透過領域の平面形状は、円、矩形、又はスリットの形状である、請求項７に記載の表示装置。
【請求項２０】
前記表示媒体は反射型電子ペーパーから構成される、請求項７に記載の表示装置。
【発明の詳細な説明】
【技術分野】
【０００１】
本開示は、表示媒体及び表示装置に関する。
【背景技術】
【０００２】
従来、例えば下記の特許文献１には、発光型ディスプレイの前面に透明状態になることができる電子ペーパーを配置した表示装置が記載されている。また、下記の特許文献２には、液晶ディスプレーの上に重ねて配置される電子ペーパーを備える構成が記載されている。
【先行技術文献】
【特許文献】
【０００３】
【特許文献１】特開２０１１−７５６６３号公報
【特許文献２】特開２００８−１０２６６０号公報
【発明の概要】
【発明が解決しようとする課題】
【０００４】
しかしながら、上記特許文献１、特許文献２に記載された構成では、発光型ディスプレイの出力光が電子ペーパーを通って出力される構成であるが、電子ペーパーを完全に透明にすることはできない。このため、発光型ディスプレイから発光された光が電子ペーパーを透過する際に輝度が低下する問題がある。
【０００５】
また、通常の表示装置は電源オフ時に表示面が真っ黒になるため、リビング空間等において、表示装置が周囲の壁面や家具などと適合せず、違和感を生じる場合がある。特に、大型の表示装置においては、違和感が顕著になる場合がある。
【０００６】
そこで、映像を表示するディスプレイと電子ペーパーのような表示媒体を重畳した構成において、輝度の低下を抑止するとともに、周囲の環境に溶け込むようにすることが求められていた。
【課題を解決するための手段】
【０００７】
本開示によれば、電圧の印加状態に応じた表示を維持する表示部と、前記表示部と重畳して配置されるディスプレイの複数の光源の位置に対応して、前記表示部と隣接して設けられた複数の光の透過領域と、を備える、表示媒体が提供される。
【０００８】
また、前記透過領域は、前記表示部と隣接する領域に設けられた空間によって構成されるものであっても良い。
【０００９】
また、前記透過領域は、前記表示部と隣接する領域に設けられた透明部材によって構成されるものであっても良い。
【００１０】
また、前記表示部は、電圧が独立して印加される複数のセルと、前記セルに充填された液晶と、を含むものであっても良い。
【００１１】
また、前記透過領域の平面形状は、円、矩形、又はスリットの形状であっても良い。
【００１２】
また、前記表示媒体は反射型電子ペーパーから構成されるものであっても良い。
【００１３】
また、本開示によれば、複数の光源を有する自発光型のディスプレイと、前記ディスプレイの表示面と重畳して配置される平板状の表示媒体と、を備え、前記表示媒体は、電圧の印加状態に応じた表示を維持する表示部と、前記ディスプレイの前記複数の光源の位置に対応して、前記表示部と隣接して設けられた複数の光の透過領域と、を有する、表示装置が提供される。
【００１４】
また、前記ディスプレイの光源の幅は、当該光源に対応する前記透過領域の幅よりも短いものであっても良い。
【００１５】
また、前記ディスプレイの発光状態に応じて前記表示媒体の表示が制御されるものであっても良い。
【００１６】
また、前記ディスプレイの映像表示がオンの場合は前記表示媒体の表示がオフとされ、前記ディスプレイの映像表示がオフの場合は前記表示媒体の表示がオンとされるものであっても良い。
【００１７】
また、前記表示媒体の表示がオンとなった時、前記表示媒体は静止画を表示し、前記表示媒体の表示がオフとなった時、前記表示媒体は透明状態となるものであっても良い。
【００１８】
また、前記光源による光の出射の視野角が３０°以上であっても良い。
【００１９】
また、前記表示媒体の表示によるコントラスト比が１０：１以上であっても良い。
【００２０】
また、前記表示媒体の前記表示部と前記透過領域の面積比が１０：１以上であっても良い。
【００２１】
また、前記表示媒体の表面にタッチセンサを備えるものであっても良い。
【００２２】
また、前記透過領域は、前記表示部と隣接する領域に設けられた空間によって構成されるものであっても良い。
【００２３】
また、前記透過領域は、前記表示部と隣接する領域に設けられた透明部材によって構成されるものであっても良い。
【００２４】
また、前記表示部は、電圧が独立して印加される複数のセルと、前記セルに充填された液晶と、を含むものであっても良い。
【００２５】
また、前記透過領域の平面形状は、円、矩形、又はスリットの形状であっても良い。
【００２６】
また、前記表示媒体は反射型電子ペーパーから構成されるものであっても良い。
【発明の効果】
【００２７】
本開示によれば、映像を表示するディスプレイと電子ペーパーのような表示媒体を重畳した構成において、輝度の低下を抑止するとともに、周囲の環境に溶け込むようにすることができる。
【図面の簡単な説明】
【００２８】
【図１】本開示の一実施形態に係る表示装置の構成を示す概略断面図である。
【図２】ＬＥＤアレイの構成を示す概略断面図である。
【図３】電子ペーパーの構成を示す概略断面図である。
【図４】ＬＥＤアレイによる表示がオン（ＯＮ）の状態を示す概略断面図である。
【図５】ＬＥＤアレイによる表示がオフ（ＯＦＦ）の状態を示す概略断面図である。
【図６】電子ペーパーの光の透過領域として、穴の代わりに透明材料を設けた例を示す模式図である。
【図７】電子ペーパー上にタッチセンサを配置し、表示装置をタッチパネルとして構成した例を示す模式図である。
【図８】透過領域と表示部との面積比を１０：１以上とするための条件を示す模式図である。
【図９】透過領域と表示部との面積比を１０：１以上とするための条件を示す模式図である。
【図１０】透過領域である穴がスリット状に設けられ、穴に沿ってＬＥＤが配置された例を示す模式図である。
【図１１】図１０中の一転鎖線Ｉ−Ｉ’に沿った断面を示す模式図である。
【図１２】本実施形態の表示装置の電源オフ時の状態を示す模式図である。
【図１３】図１２との比較のため従前の表示装置の表示をオフにした状態を示す模式図である。
【発明を実施するための形態】
【００２９】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００３０】
なお、説明は以下の順序で行うものとする。
１．表示装置の構成例
２．表示のコントラスト比について
３．スリット構造の場合の例
４．本実施形態の表示装置による表示状態
【００３１】
１．表示装置の構成例
まず、図１を参照して、本開示の一実施形態に係る表示装置の構成について説明する。図１は、本開示の一実施形態に係る表示装置１０００の構成を示す概略断面図である。図１に示すように、表示装置１０００は、反射型の表示媒体である電子ペーパー（ｅＰａｐｅｒ）１００と自発光型のディスプレイであるＬＥＤアレイ２００とが重畳された、ハイブリッド型ディスプレイとして構成されている。ＬＥＤアレイ２００は、Ｒ（赤）／Ｇ（緑）／Ｂ（青）各色の極めて微細なＬＥＤ２１０をそれぞれ画素数分だけ配置した自発光ディスプレイである。なお、本実施形態では、自発光型のディスプレイとしてＬＥＤアレイ２００を例示するが、他のディスプレイであっても良く、例えば有機ＥＬ（ＯＬＥＤ）等のディスプレイであっても良い。電子ペーパー１００は、通常の印刷された紙と同様に反射光を利用して表示を行うものである。
【００３２】
図２は、ＬＥＤアレイ２００の構成を示す概略断面図である。ＬＥＤアレイ２００は、点光源としてのＬＥＤ２１０を複数備え、各ＬＥＤ２１０を点灯することで、所望の映像（動画など）を表示させる。ＬＥＤ２１０間のピッチは、一例として１００μｍである。
【００３３】
図１において、電子ペーパー１００は、ＬＥＤアレイ２００の上面、すなわちＬＥＤアレイ２００よりも外側（視聴者側）に配置されている。図３は、電子ペーパー１００の構成を示す概略断面図である。電子ペーパー１００は上から順に、透明基板１５０、透明電極１５２、コレステリック液晶１５４、透明電極１５６、透明基板１５８の各層からなる。また、電子ペーパー１００は、各セル（マイクロカプセル）１３８を構成するためのセパレータ１３９を有している。透明基板１５２、１５６は、例えばガラス基板などのように光を透過する基板である。透明電極１５２、１５６は、透明基板１５０、１５８上に形成され、例えばＩＴＯ（Ｉｎｄｉｕｍ  Ｔｉｎ  Ｏｘｉｄｅ：インジウムスズ酸化物）電極等のような透明な電極である。この透明電極１５２、１５６を用いて、コレステリック液晶１５４に電圧を印加することができる。コレステリック液晶１５４は、光を透過するか反射するかの２つの状態を、電力を加えずに維持することができる。コレステリック液晶１５４は、セパレータ１３９によって所定領域毎のセル１３８に区分され、各セル１３８によって表示部１４０が構成されている。各セル１３８には透明電極１５２、１５６により個別に電圧が印加され、一旦電圧を印加した後は、電圧を印加しなくても既に印加された電圧に応じて各セル１３８の表示状態が定まる。従って、電子ペーパー１００は、各セル１３８の透明状態及び情報を表示した状態を、電圧を印加せずに維持することができる。
【００３４】
具体的には、上下の透明電極１５２、１５６に印加する電圧に応じて、各セル１３８について白から黒に至る任意の濃度（階調）の表示が行われる。上下の透明電極１５２、１５６により電圧を印加した後は、任意の濃度の表示状態が維持される。従って、電子ペーパー１００は、電力を消費することなく、任意のテキスト、模様などを表示することができる。本実施形態では、電子ペーパー１００が白黒の表示を行うものとするが、カラーの表示を行っても良い。
【００３５】
電子ペーパー１００には、ＬＥＤアレイ２００のＬＥＤ２１０に対応する領域に、光の透過領域１３０としての穴（窓）１１０が設けられている。穴１１０は、セルによって構成される表示部１４０と隣接して配置されており、穴１１０によって空間が構成されている。穴１１０を視聴者側から見た状態での平面形状は任意の形状とすることができ、例えば円、矩形、スリットの形状等とすることができる。透過領域１３０としての穴１１０は、ＬＥＤ２１０よりも広い幅で形成されている。図３では、コレステリック液晶１５４の厚みに対応する深さの穴１１０を設けているが、電子ペーパー１００の厚みを全て貫通するような貫通孔を設けても良い。
【００３６】
図４は、ＬＥＤアレイ２００による表示がオン（ＯＮ）の状態を示す概略断面図である。ＬＥＤアレイ２００による表示がオン（ＯＮ）とされ、表示装置１０００が通常の映像（動画）を表示している場合、ＬＥＤアレイ２００の各ＬＥＤ２１０が発光する。ＬＥＤ２１０が発光した光は、各ＬＥＤ２１０に対応して設けられた穴１１０を透過し、ユーザ（視聴者）によって視認される。また、この場合、電子ペーパー１００は、透明電極１５２、１５６に所定の電圧を印加することによりオフ状態（透明状態）とされている。
【００３７】
なお、図１、図４等では、全てのＬＥＤ２１０を１つの断面に便宜的に示しているが、図中で透過領域１３０と対応していないＬＥＤ２１０についても、電子ペーパー１００の異なる断面の位置に形成された透過領域１３０とその位置が対応している。
【００３８】
このように、ＬＥＤ２１０に対応する位置に穴１１０を設けたことにより、ＬＥＤアレイ２００上に電子ペーパー１００を重畳した構成においても、電子ペーパー１００を重畳していない場合と同様に、ＬＥＤアレイ２００の輝度を低下させることなく映像を視聴者に視認させることができる。
【００３９】
一方、図５は、ＬＥＤアレイ２００による表示がオフ（ＯＦＦ）の状態を示す概略断面図である。ＬＥＤアレイ２００による表示をオフ（ＯＦＦ）にした場合は、ＬＥＤ２１０からは光線が出射されない。そして、電子ペーパー１００の透明電極１５２、１５６に所定の電圧が印加されて電子ペーパー１００がオン状態とされ、表示部１４０にテキスト、模様等の静止画が表示される。電子ペーパー１００による表示は、自発光の表示ではなく、周辺の光を反射する反射型の表示であるため、表示が過度に目立つことがなく、表示装置１０００をリビングルーム等の壁、家具等に調和させることができる。従って、表示装置１０００の非表示状態では、表示装置１０００をリビング空間に溶け込ませることができ、表示装置１０００の存在を目立たなくすることが可能となる。
【００４０】
図６は、電子ペーパー１００の光の透過領域１３０として、穴１１０の代わりに透明材料１２０を設けた例を示す模式図である。この構成例の場合、電子ペーパー１００に穴１１０を設ける代わりに、透明材料１２０で光の透過領域１３０を実現する。例えば、透明材料１２０で作られたエンボスで透過領域１３０としての窓を実現することができる。この場合、透明材料１２０とセパレータ１３９を一体に構成することもできる。透明材料１２０により透過領域１３０を形成することで、電子ペーパー１００の表面での乱反射によるフレアを無くすことができる。また、穴あけの後処理が不要であるため、生産性を向上することができる。
【００４１】
図７は、電子ペーパー１００上にタッチセンサ３００を配置し、表示装置１０００をタッチパネルとして構成した例を示す模式図である。タッチセンサ３００としては、静電容量方式、抵抗膜方式等の透明なセンサを用いることができる。タッチセンサ３００を表示装置１０００の前面に配置することで、ＬＥＤアレイ２００による表示がオンの場合、オフの場合のいずれにおいても、ユーザーによる操作情報を表示装置１０００に入力することができ、所望の操作を行うことができる。
【００４２】
以上のように、本実施形態の表示装置１０００では、通常の映像表示時にはＬＥＤアレイ２００による表示をオン（ＯＮ）とすることで、ＬＥＤ２１０が発光した光は、各ＬＥＤ２１０に対応して設けられた透過領域１３０を透過し、ユーザ（視聴者）に視認される。また、通常の映像表示を行わない場合は、ＬＥＤアレイ２００による表示をオフ（ＯＦＦ）とし、電子ペーパー１００に任意のテキスト、模様などを表示することで、表示装置１０００をリビングルーム等の壁、家具等に調和させることができる。従って、通常の映像表示を行わない場合に、電源オフ時の黒い表示画面が存在することがなく、リビング空間等において、表示装置１０００の存在を確実に目立たなくすることが可能となる。
【００４３】
２．表示のコントラスト比について
次に、電子ペーパー１００による表示のコントラスト比について説明する。本実施形態では、電子ペーパー１００による表示の際に、電子ペーパー１００の透過領域１３０と表示部１４０とのコントラスト比が１０：１以上となるように構成する。通常の紙媒体のコントラスト比が１０：１以上であることから、透過領域１３０と表示部１４０とのコントラスト比を１０：１以上とすることにより、電子ペーパー１００の表示においても十分なコントラスト比を確保することができる。従って、電子ペーパー１００による表示を十分に鮮明なものとすることができる。
【００４４】
また、本実施形態では、ＬＥＤアレイ２００の表示においても、視野角を３０°以上確保するように構成する。これにより、ユーザが表示装置１０００を正面から視認していない場合であっても、確実に視野を確保することができる。
【００４５】
コントラスト比を１０：１以上確保するため、本実施形態の表示装置１０００では、透過領域１３０と表示部１４０の面積比を１０：１以上としている。図８及び図９は、透過領域１３０と表示部１４０との面積比を１０：１以上とするための条件を示す模式図である。図８は平面図を示しており、図９は図８中の一点鎖線Ｉ−Ｉ’に沿った断面図を示している。図８及び図９では、ＬＥＤ２１０、透過領域１３０及び表示部１４０の平面形状が正方形の場合を示しており、透過領域１３０が穴１１０によって構成された場合を示している。ここでは、図８の左側のＬＥＤ２１０Ａと、ＬＥＤ２１０Ａの光を透過させる透過領域１３０Ａ、透過領域１３０Ａの周囲の表示部１４０Ａの大きさの条件を規定する。
【００４６】
図８及び図９において、ａはＬＥＤ２１０Ａの一辺の長さの１／２を、ｂはＬＥＤ２１０Ａの端部から穴１１０Ａまでの距離を示している。また、Ｌ２は穴１１０Ａの一辺の長さの１／２を、Ｌ１は表示部１４０Ａの一辺の長さの１／２（表示部１４０を構成する１つのセル１３８の画素ピッチの１／２）を示している。また、ｄは、電子ペーパー１００の厚さを示しており、ｒはＬＥＤ２１０Ａの上端の点Ｐ１と穴１１０Ａの上端の点Ｐ２とを結ぶ直線ＬとＬＥＤ２１０Ａからの光の出射方向とがなす角度である。
【００４７】
図８及び図９において、透過領域１３０と表示部１４０の面積比を１０：１以上とするためには、透過領域１３０の面積がＬ２２であり、表示部１４０の面積がＬ１２であることから、Ｌ２とＬ１との関係が以下の（１）式を満たすようにする。
Ｌ１２／Ｌ２２＞１０                  ・・・（１）
【００４８】
また、視野角を３０°以上確保するためには、ｒの値が以下の（２）式を満たすようにすれば良い。
ｒ＞１５°                          ・・・（２）
【００４９】
（１）式より、以下の（３）式が得られる。
Ｌ２＜Ｓｑｒｔ（Ｌ１２／１０)        ・・・（３）
【００５０】
また、（２）式より、以下の（４）式が得られる。
ｂ＞ｄ・ｔａｎ（１５°）            ・・・（４）
【００５１】
従って、発光デバイスであるＬＥＤ２１０の大きさ（＝２ａ）は、以下の（５）式で表すことができる。
２ａ＝２（Ｌ２−ｂ）＜２・{Ｓｑｒｔ（Ｌ１２／１０）−ｄ・ｔａｎ（１５°）}
・・・（５）
【００５２】
以上のように、（５）式を満たすようにＬ１、Ｌ２、ｂ、ｄ、ｒの値を決定することで、コントラスト比１０：１を確保することができる。なお、上記では透過領域１３０を穴１１０から構成した場合を説明したが、透過領域１３０を透明材料１２０から構成する場合は、Ｌ１、Ｌ２、ｂ、ｄ、ｒの値を透明材料１２０に応じた光路長に換算すれば良い。視野角については、光線がディスプレイ内部から空気中に出ると屈折率の差により光線の進む角度が広がるため、より広い視野角を確保することが可能である。なお、上記の条件式は水平方向のピッチ・寸法と垂直方向のピッチ・寸法が同一である正方格子について示した。水平方向のピッチ・寸法と垂直方向のピッチ・寸法が同一ではない非正方格子についても、コントラスト比１０：１を確保することで電子ペーパー１００による表示を十分に鮮明なものとすることができ、視野角を３０°以上確保することでユーザが表示装置１０００を正面から視認していない場合であっても確実に視野を確保することができる。
【００５３】
３．スリット構造の場合の例
次に、透過領域１３０がスリット状に設けられた場合の例について説明する。図１０は、透過領域１３０である穴１１０Ｂがスリット状に設けられ、穴１１０Ｂに沿ってＬＥＤ２１０Ｂが配置された例を示す模式図である。この場合、電子ペーパー１００の表示部１４０Ｂは、スリット状の穴１１０Ｂの両側に配置される。
【００５４】
図１１は、図１０中の一転鎖線ＩＩ−ＩＩ’に沿った断面を示す模式図である。図１１において、ａはＬＥＤ２１０Ｂの短辺の長さの１／２を、ｂはＬＥＤ２１０Ｂの端部から穴１１０Ｂまでの距離を示している。また、Ｌ２は穴１１０Ｂの一辺の長さの１／２を、Ｌ１は表示部１４０Ｂの短辺の長さの１／２（表示部１４０を構成する１つのセル１３８のＩＩ−ＩＩ’に沿った画素ピッチの１／２）を示している。また、ｄは、電子ペーパー１００の厚さを示しており、ｒはＬＥＤ２１０Ｂの上端の点Ｐ１と穴１１０Ｂの上端の点Ｐ２とを結ぶ直線ＬとＬＥＤ２１０Ａからの光の出射方向とがなす角度である。
【００５５】
図１０及び図１１において、透過領域１３０と電子ペーパー１００の表示部１４０の面積比を１０：１以上とするためには、透過領域１３０と表示部１４０の面積比がＬ１／Ｌ２であることから、Ｌ２とＬ１との関係が以下の（６）式を満たすようにする。
Ｌ１／Ｌ２＞１０                  ・・・（６）
【００５６】
また、視野角を３０°以上確保するためには、ｒの値が以下の（７）式を満たすようにする。
ｒ＞１５°                          ・・・（７）
【００５７】
（６）式より、以下の（８）式が得られる。
Ｌ２＜Ｌ１／１０                    ・・・（８）
【００５８】
また、（７）式より、以下の（９）式が得られる。
ｂ＞ｄ・ｔａｎ（１５°）            ・・・（９）
【００５９】
従って、発光デバイスであるＬＥＤ２１０の大きさ（＝２ａ）は、以下の（１０）式で表すことができる。
２ａ＝２（Ｌ２−ｂ）＜２・{Ｓｑｒｔ（Ｌ１２／１０）−ｄ・ｔａｎ（１５°）}
・・・（１０）
【００６０】
以上のように、スリット構造においては、（１０）式を満たすようにＬ１、Ｌ２、ｂ、ｄの値を決定することで、コントラスト比１０：１を確保することができ、視野角も３０°以上を確保することが可能である。
【００６１】
４．本実施形態の表示装置による表示状態
図１２は、本実施形態の表示装置１０００の電源オフ時の状態を示す模式図である。図１２では、ＬＥＤアレイ２００による表示をオフ（ＯＦＦ）とし、電子ペーパー１００の表示部１４０によりテキスト、模様等の静止画を表示した状態を示している。この場合、電子ペーパー１０００に適度な濃淡のテキスト、模様等が表示され、これらのテキスト、模様等は通常の紙と同様に反射光を利用して表示される。これにより、表示装置１０００がインテリアとして空間に溶け込み、リビング空間等における表示装置１０００の存在感を低下させることができる。従って、表示装置１０００の利用時間以外では、より落ち着いた雰囲気のリビング空間を演出することが可能となる。
【００６２】
一方、図１３は、比較のため従前の表示装置２０００の表示をオフにした状態を示している。このように、従前の表示装置２０００では、電源オフ時に表示画面が真っ黒となり、周辺に対する表示装置２０００の存在感が際立ったものとなり、圧迫感も大きくなる。このため、図１２に示す従前の表示装置２０００は周囲の空間に溶け込むことができず、落ち着いた雰囲気を構築することは困難である。
【００６３】
以上説明したように本実施形態によれば、映像表示を行うＬＥＤアレイ２００の前面に電子ペーパー１００を配置し、電子ペーパー１００のＬＥＤ２１０と対応する位置に光の透過領域１３０を設けた。これにより、ＬＥＤアレイ２００による映像表示のオン状態ではＬＥＤ２１０の発光が透過領域１３０を透過し、輝度を低下させることなく視聴者が臨場感のある映像を視認することができる。また、映像表示のオフ状態では、電子ペーパー１００により反射型の表示を行うようにしたため、表示装置１０００の存在感を無くして、表示装置１０００を周囲の環境に溶け込ませることが可能となる。
【００６４】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００６５】
なお、以下のような構成も本開示の技術的範囲に属する。
（１）  電圧の印加状態に応じた表示を維持する表示部と、
前記表示部と重畳して配置されるディスプレイの複数の光源の位置に対応して、前記表示部と隣接して設けられた複数の光の透過領域と、
を備える、表示媒体。
（２）  前記透過領域は、前記表示部と隣接する領域に設けられた空間によって構成される、前記（１）に記載の表示媒体。
（３）  前記透過領域は、前記表示部と隣接する領域に設けられた透明部材によって構成される、前記（１）に記載の表示媒体。
（４）  前記表示部は、電圧が独立して印加される複数のセルと、前記セルに充填された液晶と、を含む、前記（１）に記載の表示媒体。
（５）  前記透過領域の平面形状は、円、矩形、又はスリットの形状である、前記（１）に記載の表示媒体。
（６）  前記表示媒体は反射型電子ペーパーから構成される、前記（１）に記載の表示媒体。
（７）  複数の光源を有する自発光型のディスプレイと、
前記ディスプレイの表示面と重畳して配置される平板状の表示媒体と、を備え、
前記表示媒体は、
電圧の印加状態に応じた表示を維持する表示部と、前記ディスプレイの前記複数の光源の位置に対応して、前記表示部と隣接して設けられた複数の光の透過領域と、を有する、表示装置。
（８）  前記ディスプレイの光源の幅は、当該光源に対応する前記透過領域の幅よりも短い、前記（７）に記載の表示装置。
（９）  前記ディスプレイの発光状態に応じて前記表示媒体の表示が制御される、前記（７）に記載の表示装置。
（１０）  前記表示媒体の表示がオンとなった時、前記表示媒体は静止画を表示し、前記表示媒体の表示がオフとなった時、前記表示媒体は透明状態となる、前記（９）に記載の表示装置。
（１１）  前記表示媒体の表示がオンとなった時、前記表示媒体は静止画を表示する、前記（１０）に記載の表示装置。
（１２）  前記光源による光の出射の視野角が３０°以上である、前記（７）に記載の表示装置。
（１３）  前記表示媒体の表示によるコントラスト比が１０：１以上である、前記（７）に記載の表示装置。
（１４）  前記表示媒体の前記表示部と前記透過領域の面積比が１０：１以上である、前記（７）に記載の表示装置
（１５）  前記表示媒体の表面にタッチセンサを備える、前記（７）に記載の表示装置。
（１６）  前記透過領域は、前記表示部と隣接する領域に設けられた空間によって構成される、前記（７）に記載の表示装置。
（１７）  前記透過領域は、前記表示部と隣接する領域に設けられた透明部材によって構成される、前記（７）に記載の表示装置。
（１８）  前記表示部は、電圧が独立して印加される複数のセルと、前記セルに充填された液晶と、を含む、前記（７）に記載の表示装置。
（１９）  前記透過領域の平面形状は、円、矩形、又はスリットの形状である、前記（７）に記載の表示装置。
（２０）  前記表示媒体は反射型電子ペーパーから構成される、前記（７）に記載の表示装置。
【符号の説明】
【００６６】
１０００    表示装置
１００    電子ペーパー
１１０    穴
１２０    透明材料
１３０    透過領域
１３８    セル
１４０    表示部
１５４    コレステリック液晶
２００    ＬＥＤアレイ
２１０    ＬＥＤ
３００    タッチセンサ
【図１】
2015025968.tif 000003
【図２】
2015025968.tif 000004
【図３】
2015025968.tif 000005
【図４】
2015025968.tif 000006
【図５】
2015025968.tif 000007
【図６】
2015025968.tif 000008
【図７】
2015025968.tif 000009
【図８】
2015025968.tif 000010
【図９】
2015025968.tif 000011
【図１０】
2015025968.tif 000012
【図１１】
2015025968.tif 000013
【図１２】
2015025968.tif 000014
【図１３】
2015025968.tif 000015